(57)【要約】【課題】  標準フォーマット画データとオリジナル画データにあまり差がない場合に、オリジナル画データの要求に伴う実質上無用な通信の発生を防止可能な受信側のインターネットファクシミリ装置を提供する。【解決手段】  本発明に係るインターネットファクシミリ装置１Ｂは、送信側インターネットファクシミリ装置からオリジナル画データのフォーマット情報と標準フォーマット画データを含む電子メールを受信し、自装置の受信能力情報を記述した電子メールを返信した後に、送信側から受信能力情報に基づいてオリジナル画データを電子メールにて受信する機能を備え、オリジナル画データのフォーマット情報に基づいてオリジナル画データの要求を行うか否かを判断する判断手段と、判断手段の判断基準を標準フォーマット画データとオリジナル画データの差に基づいて設定する設定手段と、を備えるものである。【選択図】  図３
2008289204.tif 000002
【特許請求の範囲】
【請求項１】
送信側インターネットファクシミリ装置からオリジナル画データのフォーマット情報と標準フォーマット画データを含む電子メールを受信し、自装置の受信能力情報を記述した電子メールを返信した後に、送信側インターネットファクシミリ装置から前記受信能力情報に基づいて前記オリジナル画データを電子メールにて受信する機能を備えたインターネットファクシミリ装置において、前記オリジナル画データのフォーマット情報に基づいて前記オリジナル画データの要求を行うか否かを判断する判断手段と、前記判断手段の判断基準を前記標準フォーマット画データと前記オリジナル画データの差に基づいて設定する設定手段と、を備えることを特徴とするインターネットファクシミリ装置。
【発明の詳細な説明】
【技術分野】
【０００１】
本発明は、電子メールにより画データの送受信を行うインターネットファクシミリ装置に関する。
【背景技術】
【０００２】
従来、電子メールで画データの送受信を行うインターネットファクシミリ装置においては、送受信の際に用いられる画データを、符号化形式がＭＨ（ModifiedHuffman）、解像度が２００ｄｐｉ、記録紙サイズがＡ４のフォーマットに標準化し、この標準化した画データ(以下「標準フォーマット画データ」という)を電子メールに添付して送受信動作を行い、１度の電子メール送受信で画データの送受信が完了する方式が用いられてきた。この方式では、インターネットファクシミリ装置に、例えば２００ｄｐｉより高い解像度或いはＡ４より大きな記録紙サイズなどの高品質な画データの送受信能力があったとしても、高品質な画データの送受信を行うことができなかった。そのため、送信側のインターネットファクシミリ装置と受信側のインターネットファクシミリ装置の間で、受信側のインターネットファクシミリ装置が受信可能な解像度或いは記録紙サイズなどの画データのフォーマットに関する情報（以下「受信能力情報」という）を交換し、受信側のインターネットファクシミリ装置の受信能力に応じて高品質なオリジナル画データを送受信する受信能力交換型インターネットファクシミリ装置が提案されている（例えば、特許文献１参照）。
【０００３】
以下、受信能力交換型インターネットファクシミリ装置の画データの送受信における動作を、図１６に示すシーケンス図に基づいて説明する。なお、電子メールによって通信可能に接続された送信側の受信能力交換型インターネットファクシミリ装置と受信側の受信能力交換型インターネットファクシミリ装置をそれぞれ、送信側受信能力交換型インターネットファクシミリ装置、受信側受信能力交換型インターネットファクシミリ装置という。
【０００４】
まず、送信側受信能力交換側インターネットファクシミリ装置は、原稿をオリジナル画データとして読み込み記憶する（Ｔ６１）。このオリジナル画データは例えば、解像度が４００ｄｐｉ、記録紙サイズＢ４、符号化方式ＭＲという画データフォーマットを持つ標準フォーマット画データに比べて高品質な画データである。
【０００５】
次に、送信側受信能力交換型インターネットファクシミリ装置は、前記オリジナル画データから標準フォーマット画データを作成し（Ｔ６２）、この標準フォーマット画データを、オリジナル画データのフォーマットに関する情報と受信能力情報を通知するよう促すメッセージを記述した電子メールに添付して、受信側受信能力交換型インターネットファクシミリ装置に送信する（Ｔ６３）。
【０００６】
一方、Ｔ６３で送信された電子メールを受信した受信側受信能力交換型インターネットファクシミリ装置は、前記メッセージに従い、自装置の受信能力情報とオリジナル画データの送信を要求するメッセージを記述した電子メールを、送信側インターネットファクシミリ装置に返信する（Ｔ６４）。
【０００７】
次に、Ｔ６４で返信された電子メールを受信した送信側受信能力交換型インターネットファクシミリ装置は、該電子メールに記述された受信側能力交換型インターネットファクシミリ装置の受信能力情報を読み取り、オリジナル画データを電子メールに添付して受信側受信能力交換型インターネットファクシミリ装置に送信する（Ｔ６６）。なお、ここでの処理では、読み取った受信側能力交換型インターネットファクシミリ装置の受信能力情報に応じて、オリジナル画データとも標準フォーマット画データとも異なる第３のフォーマットの高品質な画データをオリジナル画データから作成して（Ｔ６５）、オリジナル画データの代わりに電子メールに添付して送信する場合もある。ただし、本明細書中ではここでの処理で作成され添付される第３のフォーマットの高品質な画データは、オリジナル画データという呼称に含めるものとする。
【０００８】
一方、Ｔ６６で送信された電子メールを受信した受信側受信能力交換型インターネットファクシミリ装置は、該電子メールに添付されているオリジナル画データを印字出力する（Ｔ６７）こととなる。
【０００９】
【特許文献１】特開２００１−１９７２４７号公報
【発明の開示】
【発明が解決しようとする課題】
【００１０】
しかし、このような受信能力交換型インターネットファクシミリ装置を構成する受信側のインターネットファクシミリ装置は、標準フォーマット画データとオリジナル画データにあまり差がない場合でも送信側インターネットファクシミリ装置に対してオリジナル画データの要求を行うため、実質上無用な通信を行うことになるという問題がある。
【００１１】
本発明は、かかる点に鑑みてなされたものであり、標準フォーマット画データとオリジナル画データにあまり差がない場合に、オリジナル画データの要求に伴う実質上無用な通信の発生を防止可能な受信側のインターネットファクシミリ装置を提供する。
【課題を解決するための手段】
【００１２】
前項の目的を達するため、本願のインターネットファクシミリ装置は、送信側インターネットファクシミリ装置からオリジナル画データのフォーマット情報と標準フォーマット画データを含む電子メールを受信し、自装置の受信能力情報を記述した電子メールを返信した後に、送信側インターネットファクシミリ装置から前記受信能力情報に基づいて前記オリジナル画データを電子メールにて受信する機能を備えたインターネットファクシミリ装置において、前記オリジナル画データのフォーマット情報に基づいて前記オリジナル画データの要求を行うか否かを判断する判断手段と、前記判断手段の判断基準を前記標準フォーマット画データと前記オリジナル画データの差に基づいて設定する設定手段と、を備えることを特徴としている。
【発明の効果】
【００１３】
本願のインターネットファクシミリ装置は、送信側インターネットファクシミリ装置からオリジナル画データのフォーマット情報と標準フォーマット画データを含む電子メールを受信し、自装置の受信能力情報を記述した電子メールを返信した後に、送信側インターネットファクシミリ装置から前記受信能力情報に基づいて前記オリジナル画データを電子メールにて受信する機能を備えたインターネットファクシミリ装置において、前記オリジナル画データのフォーマット情報に基づいて前記オリジナル画データの要求を行うか否かを判断する判断手段と、前記判断手段の判断基準を前記標準フォーマット画データと前記オリジナル画データの差に基づいて設定する設定手段と、を備えたことを特徴としているため、両者の画データにあまり差がない場合などにオリジナル画データの要求を行い、実質上無用な通信を行うことがなくなり、効率的な画データの受信を行うことができる。
【発明を実施するための最良の形態】
【００１４】
以下本発明をその実施の形態を示す図面に基づいて説明する。なお、電子メールによって画データを受信する側のインターネットファクシミリ装置を受信側インターネットファクシミリ装置、画データを送信する側のインターネットファクシミリ装置を送信側インターネットファクシミリ装置という。
【００１５】
前記受信側インターネットファクシミリ装置と前記送信側インターネットファクシミリ装置は同様のハードウエア構成を備えている。すなわち、図１のブロック図に示すように、受信側インターネットファクシミリ装置１Ｂ，及び送信側インターネットファクシミリ装置１ＡはＣＰＵ（中央処理装置）２、ＲＡＭ（ランダムアクセスメモリー）３、ＲＯＭ（リードオンリーメモリー）４、コーデック５、モデム６、ＮＣＵ（ネットワークコントロールユニット）７、読取部８、記録部９、操作部１０、表示部１１、ＬＡＮ
Ｉ／Ｆ（ローカルエリアネットワークインターフェース）１２等を備えている。各装置は通信可能にバス１３により接続されている。
【００１６】
前記ＣＰＵ２は、前記ＲＯＭ４に記憶された制御プログラムに基づいて、このインターネットファクシミリ装置１Ａ、１Ｂを構成する各装置を制御する。
【００１７】
前記ＲＡＭ３は、制御プログラムが実行時に必要とする一時的なデータを記憶するほか、標準フォーマット画データ及びオリジナル画データ、ファクシミリ番号データ、電子メールアドレス、制御時に参照される設定テーブル等の各種設定などを記憶する記憶装置として機能する。またＲＡＭ３はメモリ残量検出装置として、メモリ残量検出部３ａを備えており、ＲＡＭ３の使用されていない部分を検出して、ＣＰＵ２に使用可能なメモリ残量を通知することができるようになっている。
【００１８】
前記ＲＯＭ４は、ファクシミリの送受信手順或いは電子メール送受信手順等インターネットファクシミリ装置１Ａ、１Ｂを制御するための制御プログラムを記憶している。
【００１９】
前記コ−デック５は、前記読取部８にて読取られた画データをＭＨ(ModifiedHuffman)、ＭＲ(Modified
Read)、ＭＭＲ(Modified Modified Read)等の符号化方式にて符号化する符号化処理、もしくはファクシミリ受信或いは電子メールにより受信した画データを復号化する復号化処理を行う。
【００２０】
前記モデム６は、例えばＩＴＵ―Ｔ（国際電気通信連合電気通信標準化部会）の勧告Ｖ．３４規格又はこれと同様のものに従った通信データの変調及び復調を行う。
【００２１】
前記ＮＣＵ７は、ＰＳＴＮ（公衆交換電話網）１４との回線の接続、切断を行う回線網制御装置である。
【００２２】
前記読取部８は、ＣＣＤ（Charge Coupled Device）等のイメージセンサによって原稿の濃淡を読み取って、白黒２値に変換した画データを出力する。
【００２３】
前記記録部９は、例えば電子写真方式或いはインクジェット方式のものからなり、画データを記録紙上に印字出力する。例えば、前記読取部８で読み取られた原稿の画データ或いはファクシミリ受信した画データ、受信した電子メールに添付された画データ等を前記ＣＰＵ２の指示により、記録紙上に印字出力する。
【００２４】
また、前記記録部９には複数の記録紙収納部９ａが設けられている。前記記録紙収納部９ａは、図示しないが、例えば箱型カセット状の形状を持ち、各記録紙収納部毎にＡ４、Ｂ４サイズ等特定のサイズの記録紙を収納するようになっており、印字出力の際にはこの記録紙収納部９ａから適切な記録紙を給紙し、印字出力するようになっている。さらに、これらの記録紙収容部９ａには図示しないが、記録紙検出部が設けられており、記録紙収納部９ａに収納されている記録紙のサイズ、記録紙の有無等をＣＰＵ２の要求に応じてＣＰＵ２に通知することができるようになっている。
【００２５】
前記操作部１０は、例えばファクシミリ番号等を入力するためのテンキ−１０ａ、短縮番号から発信するための短縮キー１０ｂ、原稿の読取り動作の開始等を行うためのスタートキー１０ｃ等を備えており、各種操作はこの操作部１０により行われる。
【００２６】
前記表示部１１は、ＬＣＤ（液晶表示装置）又はＣＲＴディスプレイ等の表示装置であり、ファクシミリ受信した画データ及び電子メールにより受信した画データの表示、或いは操作時のガイドメッセージの表示等を行う。
【００２７】
前記ＬＡＮ  Ｉ／Ｆ１２は、ＬＡＮ（ローカルエリアネットワーク）１５Ａ、１５Ｂとの接続用Ｉ／Ｆであり、インターネットファクシミリ装置１Ａ、１ＢとＬＡＮ１５Ａ，１５Ｂとを通信可能に接続している。インターネットファクシミリ装置１Ａ、１Ｂは、このＩ／Ｆを通じて電子メールの送受信等を行う。
【００２８】
前記インターネットファクシミリ装置１Ａ、１ＢはＧ３方式等によって原稿の画データをファクシミリ送受信する機能を備えるほか、インターネット標準プロトコルであるＴＣＰ／ＩＰ（Transmission Control Protocol／Internet Protocol）を実装し、画データを添付した電子メールの送受信を行うことで、画データの送受信を行うインターネットファクシミリ機能を備えている。前記電子メールは例えば、ＭＩＭＥ（Multipurpose
Internet Mail Extensions）形式の電子メールであり、画データがbase64で符号化されて添付されているものである。
【００２９】
次に、前記インターネットファクシミリ装置１Ａ、１Ｂの動作を、例えば図２に示すネットワーク環境Ａにおける動作において説明する。すなわち、前記受信側インターネットファクシミリ装置１ＢはＬＡＮ１５Ｂを通じて、メールサーバ１６Ｂ、クライアントＰＣ１７Ｂ、ルータ１８Ｂと相互に通信可能に接続されており、送信側インターネットファクシミリ装置１Ａは、ＬＡＮ１５Ａを通じてメールサーバ１６Ａ、クライアントＰＣ１７Ａ、ルータ１８Ａと相互に通信可能に接続されている。またＬＡＮ１５ＡとＬＡＮ１５Ｂはルータ１８Ａ，１８Ｂを介してインターネット１９により通信可能に接続されている。これにより、受信側インターネットファクシミリ装置１Ｂは、メールサーバ１６Ａ、１６Ｂ、インターネット１９等を通じて送信側インターネットファクシミリ装置１Ａの送信した電子メールを受信することができ、該電子メールに添付された画データにより、画データの送受信を行うことができる。また受信側インターネットファクシミリ装置１Ｂは、ＰＳＴＮ１４を通じてＧ３ファクシミリ２０に画データをファクシミリ送信することができる。またファクシミリ受信した画データを受信側インターネットファクシミリ装置１Ｂで印字出力し、或いはＬＡＮ１５Ｂを通じてクライアントＰＣ１７Ｂに配信することができる。
【００３０】
次に、前記ネットワーク環境Ａにおける前記インターネットファクシミリ装置１Ａ、１Ｂ間の電子メールによる画データの通信手順「単純モード」「送達確認モード」「受信能力交換モード」について図３に示すシーケンス図及び図４から図９に示す電子メールの記述例に基づいて説明する。
【００３１】
まず、図３（ａ）に示す単純モードは、送信側インターネットファクシミリ装置１Ａから、例えば図４に示すような電子メールを送信し（Ｔ１）、受信側インターネットファクシミリ装置が該電子メールを受信して送受信動作を終了する。該電子メールはＭＩＭＥ形式の電子メールであり、相手先装置のあて先等からなる電子メールヘッダ情報２１と、添付された画データ２２からなる。該画データは標準フォーマット画データであり、受信側インターネットファクシミリ装置１Ｂで印字出力等することとなる。
【００３２】
次に、図３（ｂ）に示す送達確認モードは、送信側インターネットファクシミリ装置１Ａが、例えば図５に示すような、送達を確認するため返信として返される電子メール（以下「送達確認メール」という）を返信するよう要求するメッセージ２３（以下「送達確認要求メッセージ」という）を記述した電子メールに、標準フォーマット画データ２２を添付したメールを作成して、受信側インターネットファクシミリ装置に送信する（Ｔ２）。図５の例では、送達確認要求メッセージ２３は、「Disposition-Notification-To:」という記述による送達確認メールを要求していることを示す部分と「Sender＠terminalA.ifax」という記述による送達確認メールを返信する送信側インターネットファクシミリ装置１Ａのあて先からなる。
【００３３】
一方、Ｔ２で送信された電子メールを受信した受信側インターネットファクシミリ装置１Ｂは、添付されている標準フォーマット画データを印字出力するなど処理し、前記送達確認要求メッセージ２３に基づいて送達確認メールを生成し、送信側インターネットファクシミリ装置１Ａに返信する（Ｔ３）。
【００３４】
次に、図３（ｃ）に示す受信能力交換モードによると、送信側インターネットファクシミリ装置１Ａは、オリジナル画データから標準フォーマット画データを生成し、例えば図６に示すような、相手先装置からの所定の要求と受信能力情報の通知があった場合にオリジナル画データを送信することを示すメッセージ２４と、オリジナル画データのフォーマット情報２５、及び標準画データのフォーマット情報２６等を記述した電子メールに、標準フォーマット画データ２２を添付し受信側インターネットファクシミリ装置１Ｂに送信する（Ｔ４）。
【００３５】
一方、この電子メールを受信した受信側インターネットファクシミリ装置１Ｂは、図７に示すような、オリジナル画データの送付を要求するメッセージ２７と自装置の受信能力情報２８、及びこの電子メールの役割を説明する説明メッセージ２９等を記述した電子メールを作成し、送信側インターネットファクシミリ装置１Ａに返信する（Ｔ５）。
【００３６】
一方、Ｔ５の電子メールを受信した送信側インターネットファクシミリ装置１Ａは、オリジナル画データを要求する前記メッセージ２７に従い、図８に示すような送達確認要求メッセージ３０を含む電子メールにオリジナル画データを添付し、受信側インターネットファクシミリ装置１Ｂに送信する（Ｔ６）。なお、従来の技術の説明において前記したように、受信能力情報に応じて、オリジナル画データとも標準フォーマット画データとも異なる第３のフォーマットの高品質な画データをオリジナル画データから作成してオリジナル画データの代わりに電子メールに添付して送信する場合もある。ただし、繰りかえしになるが、本明細書中ではここでの処理で作成され添付される第３のフォーマットの高品質な画データは、オリジナル画データという呼称に含めるものとする。
【００３７】
最後に、Ｔ６で送信されたメールを受信した受信側インターネットファクシミリ装置は、前記送達確認要求メッセージ３０に従って、送達確認メールを作成し、送信側インターネットファクシミリ装置１Ａに送信する（Ｔ７）。該送達確認メールは、例えば図９に示すように、この電子メールの役割を説明する説明メッセージ２９Ａと、電子メールが送達されたことを示すメッセージ３１等からなる。なお、この受信能力交換モードにおいては、受信側インターネットファクシミリ装置１Ｂにおいてオリジナル画データを必要としない場合等にオリジナル画データの要求が行われない場合がある。この場合、前記Ｔ５、Ｔ６、Ｔ７の手順は行われない。
【００３８】
次に、前記受信能力交換モードにおける受信側インターネットファクシミリ装置の動作を図１０から図１２に示すフローチャートに基づいて説明する。なお、これらのフローチャートに基づいて説明される動作は、前記受信側インターネットファクシミリ装置１Ｂにおいて、ＲＯＭ４に記憶された制御プログラムに基づいてＣＰＵ２が発行する制御命令に従って行われる。前記制御命令には、ＣＰＵ２が操作者による操作部の操作による指示を読み取って発行する制御命令、あらかじめＲＡＭ等に設定されている指示を読みとって発行する制御命令などが含まれる。
【００３９】
まず、電子メールを受信した（Ｓ１）受信側インターネットファクシミリ装置１Ｂは、該電子メールの内容を解析し、該電子メールがインターネットファクシミリに使用する電子メールであり、かつ前記受信能力交換モードのＴ４における電子メールであるか否かを判断する（Ｓ２）。この判断は、例えば、受信した電子メールが図６に示したような電子メールであった場合は、オリジナル画データのフォーマット情報２５が記述されているか否か、また自装置の受信能力情報の通知を行えばオリジナル画データを送信することを示すメッセージ２４が記述されているか否か等を判断することである。
【００４０】
Ｓ２で否と判断された場合は、詳述しないが、単純モード或いは送達確認モードによる画データの送受信であれば、標準フォーマット画データを印字出力する等の定められた処理を行い、解析できないようなエラーメールであれば、その旨を表示部に表示する等のエラー処理を行うなど、制御プログラムにより定められているその他の処理を行う（Ｓ８）。
【００４１】
Ｓ２で受信能力交換モードの電子メールであると判断された場合には、受信側インターネットファクシミリ装置１Ｂは自装置の受信能力と、電子メールに記述されたオリジナル画データのフォーマット情報を比較し、自装置がオリジナル画データを受信して印字出力する能力があるか否かを判断する（Ｓ３）。ここでの判断は、例えばオリジナル画データのフォーマット情報として用紙サイズＡ３、解像度４００ｄｐｉ、符号化方式ＭＭＲのフォーマットが示された場合に、コーデック６がＭＭＲの復号化処理に対応しているか否か、及び記録部９がＡ３サイズの記録紙に４００ｄｐｉの解像度で印字出力可能か否かを判断することである。
【００４２】
Ｓ３で自装置にオリジナル画データを受信して印字出力する能力が無いと判断した場合は、次に、自装置の能力の範囲内にオリジナル画データを変換してから印字出力するか否かをユーザからの指示或いは後述するあらかじめ設定してある設定テーブル等に基づいて判断する（Ｓ６）。
【００４３】
Ｓ３でオリジナル画データを受信して印字出力する能力があると判断した場合、又はＳ６でオリジナル画データを変換して自装置の能力の範囲内で印字出力すると判断した場合は、次に、オリジナル画データのフォーマットで指定された記録紙サイズ、又はオリジナル画データを変換して印字出力する場合の変換後の画データの記録紙サイズの記録紙が記録部９に給紙可能なように用意されているか否かを判断する（Ｓ４）。これは例えば、記録部９に複数個設けられている記録紙収納部９ａに、該当する記録紙が用意されているか否かを記録紙収納部９ａに設けられている記録紙検出部の通知情報をもとに判断するものである。なおこの時、該当する記録紙が使い切られていて一時的に用意されていなくても、いずれユーザーにより補充される場合は、用意されていると判断するようになっていてもよい。
【００４４】
Ｓ４で該当する記録紙が用意されていない場合は、ユーザーからの指示或いはあらかじめ設定されている設定にもとづいて、他のサイズの記録紙に画データを印字出力するか否かを判断する（Ｓ７）。
【００４５】
次に、Ｓ４で該当する記録紙があると判断した場合、又は、Ｓ７で他のサイズの記録紙に印字出力すると判断した場合は、次に、ＲＡＭ３にオリジナル画データを記憶するのに必要なメモリ容量が残されているか否かを、メモリ容量検出部３ａで示される使用可能なメモリ残量とオリジナル画データの予測されるデータ量を比較して判断する（Ｓ５）。又は、ユーザー等によりあらかじめ設定されＲＡＭ３に記憶されているメモリ残量の判断基準とメモリ容量検出部３ａで示される使用可能なメモリ残量を比較して判断するようにしてもよい。この判断基準は例えば、メモリ残量がメモリ容量全体の１割を下回れば必要なメモリ容量がないと判断するものであり、この比率をユーザーが設定するようになっているものである。
【００４６】
ＲＡＭ３にオリジナル画データを記憶するのに必要なメモリ容量が残っている場合は次に、標準フォーマット画データとオリジナル画データに十分な差があるかどうかを判断する（Ｓ９）。ここでの十分な差とは、例えば、図１３に示すような画データの差異についての判断基準を定めた判断基準テーブルＴＡがユーザーもしくはインターネットファクシミリ装置１Ｂの初期設定としてあらかじめＲＡＭに記憶されており、この判断基準テーブルＴＡに基づいて判断することを示している。
【００４７】
判断基準テーブルＴＡによると、画データの差の判断基準として、記録紙サイズ３４と解像度３５についての設定ができるようになっており、それぞれ標準フォーマット３３と比較した比率か具体的な記録紙サイズ或いは解像度で設定し、これらの設定を上回るフォーマットの画データである場合、差があると判断できるようになっている。判断基準テーブルＴＡの例では初期値として比率が１２０％に、記録紙サイズがＢ４に、解像度が２４０ｄｐｉに初期設定されているが、これはユーザーによる設定操作によって自由に変更することができるようになっている。
【００４８】
上述のような判断基準の設定に基づいて、Ｓ９において画データに差があると判断した場合は、次に受信した電子メールが一定の時間内に送達されているか否かを判断する（Ｓ１０）。これは例えば、送信側インターネットファクシミリ装置１Ａの送信時刻と、自装置１Ｂの受信時刻の差、又は、送信時刻とメールサーバ１６Ｂへの到達時刻の差などを、例えば１２時間以内といったユーザー等によりあらかじめ設定されている判断基準時間と比較するものである。
【００４９】
Ｓ１０で一定時間内に受信がされている場合には、最後にユーザー等の装置設定によりオリジナル画データの要求が禁止されていないか否かを判断し（Ｓ１１）、禁止されていないと判断した場合にはオリジナル画データを要求するために、例えば、図７に示したような自装置の受信能力情報と、オリジナル画データを送信するよう要求するメッセージを記述した電子メールを送信側インターネットファクシミリ装置に送信する（Ｓ１２）。
【００５０】
一方、Ｓ５、Ｓ６、Ｓ７、Ｓ９、Ｓ１０、Ｓ１１でそれぞれ否と判断した場合には、オリジナル画データを要求せず、受信した電子メールに添付されている標準画データを印字出力して処理を終了する（Ｓ１３）。または、印字出力後に図５に示したようなオリジナル画データの送付を要求しない送達確認メールを送信して、送達確認モードの通信として処理を終了してもよい。
【００５１】
なお上述の受信動作の各判断ステップにおいてＳ４、Ｓ５、Ｓ９，Ｓ１０、Ｓ１１で行う判断を実行するか否かを、あらかじめ例えば図１４に示すようなテーブルＴＢとしてユーザーの指示或いは装置の初期設定として作成しておき、この設定に基づいて前記ステップにおける判断をスキップする（各判断ステップにおいて、装置の状態或いは画データの比較等の判断を実行せずに、無条件で「Ｙｅｓ」の判断をして、次ステップに移行する）ことができるようになっている。
【００５２】
また、判断ステップＳ６、Ｓ７においては図１５に示すような、図１４に類似した設定テーブルＴＣを設定しておくことにより、この設定テーブルＴＣに基づいた判断を実行できるようになっている。
【００５３】
図１４に例示したテーブルＴＢの設定によれば、Ｓ４における記録紙の有無の判断ステップを実行するか否かを、装置のデフォルト設定３６、又は個別設定３７によって指示することができるようになっている。
【００５４】
さらに詳しく説明すると、受信側インターネットファクシミリ装置１Ｂのデフォルト設定３６が「判断する」になっており、個別設定３７の各項目に該当しない場合はＳ４の記録紙の有無の判断ステップを実行し、前記したフローチャート図１０のように記録紙の有無により処理を分枝することになる。一方、個別設定３７では、Ｓ４の判断ステップを実行する場合を「判断する」、実行しない場合を「判断しない」、と個別の項目について設定できるようになっている。テーブルＴＢでは、「判断する」とした項目において、送信側アドレス３８「SenderA＠terminalB.ifax」、送信側ドメイン名３９「jp」、受信した時刻の期間指定４０「23:00-8:00 everyday」、通信毎設定４１「次受信」とそれぞれなっているため、受信した電子メールアドレスの送信側アドレスが「SenderA＠terminalB.ifax」の場合、送信側ドメイン名が「jp」の場合、受信時刻が毎日の23:00から8:00の間の場合、及び次回に電子メールを受信しＳ４における判断が必要とされた場合のそれぞれにおいて、Ｓ４における判断を実行し、記録紙の有無により処理を分枝することになる。
【００５５】
同様に、「判断しない」という項目においても送信側アドレス等による指定が行えるようになっており、ここに記載されたものに該当する電子メールであった場合には、デフォルト設定３６にかかわらず、Ｓ４における判断を実行しないことになる。すなわち、無条件で「Ｙｅｓ」と判断して次ステップＳ５に移行することになる。
【００５６】
Ｓ５以下の判断ステップにおいても同様の設定を行うことができるようになっており、それぞれテーブルＴＢに設定した項目に基づいて判断を実行するかスキップさせて次ステップに移行するかを選択することができる。
【００５７】
なお、期間指定４０に際しては、前記した形式のほかにも「０１／Ｍａｙ／２２３：００−０１／Ｍａｙ／６  ８：００」といった日付けと時刻での範囲指定４２、或いは「Ｓｕｎｄａｙ」「Ｓｓｔｕｒｄａｙ」等の曜日指定４３等種々の形式の指定を行うこともできる。
【００５８】
また、図１５に示した設定テーブルＴＣは、Ｓ６及びＳ７の判断ステップにおいて参照するテーブルの例である。設定テーブルＴＣによると、例えばＳ６における判断の場合デフォルト設定４４が「受信する」となっているため、個別設定４５に該当しない場合は自装置の能力の範囲内で受信すると判断することになる。また、Ｓ７における判断の場合デフォルト設定４４は「受信しない」となっているため、個別設定４５に該当しない場合は他の記録紙に印字出力しないと判断することになる。
【００５９】
個別設定４５では、テーブルＴＢの場合と同様に、送信側アドレス、送信側ドメイン名、期間指定、通信毎設定の各項目を設定できるようになっており、この個別設定に記載されている場合に該当する電子メールの場合は、この個別設定の記載に基づいてＳ６、あるいはＳ７の判断ステップで判断を実行することになる。
【００６０】
Ｓ１２でオリジナル画データを要求した後、受信側インターネットファクシミリ装置１Ｂは、該要求に応じて送信側インターネットファクシミリ装置１Ａが送信するオリジナル画データを添付した電子メールを受信することとなる。次に、この電子メール受信時の動作を、図１２に示すフローチャートに基づいて説明する。
【００６１】
まず、電子メールを受信した（Ｓ１４）受信側インターネットファクシミリ装置は、該電子メールの内容を解析し、該電子メールがインターネットファクシミリに使用する電子メールであり、かつ前記した受信能力交換モードのＴ６において送信されたオリジナル画データが含まれたメールであるか否かを判断する（Ｓ１５）。ここでの判断は例えば、図８のような電子メールを受信した場合に、オリジナル画データ３０が含まれているか否か、あるいはさらに、オリジナルメッセージID（Original-Message-Id）３２としてここでの処理以前に受信した受信能力交換モードの電子メールのメッセージID（Message-ID）が記述されているか否かなどを判断することである。
【００６２】
否と判断した場合には、受信能力交換モードのＴ６で送信される電子メールではないので、その他の処理を行う（Ｓ２６）。その他の処理とは、例えば単純モード等別の通信モードでの受信処理、或いは解析できない電子メールを受信した時のエラー処理などである。
【００６３】
Ｓ１５で受信能力交換モードのＴ６で送信されるメールと判断した場合は、次に、添付されているオリジナル画データをそのフォーマットのまま記録部９より印字出力する能力があるか否かを判断する（Ｓ１６）。すなわち、記録部９にオリジナル画データのフォーマットで指定される記録紙サイズ、解像度で印字出力する能力があるか否かを判断する。
【００６４】
Ｓ１６で能力があると判断した場合は、次に、記録部９の記録紙収納部９ａにオリジナル画データのフォーマットで指定されているサイズの記録紙が用意されているか否かを判断し（Ｓ１７）、用意されていればその記録紙を給紙して、オリジナル画データをそのフォーマットで指定される記録紙サイズ、解像度のまま印字出力する（Ｓ２１）。
【００６５】
Ｓ１７で記録紙が用意されていない場合には、オリジナル画データのフォーマットで指定されている記録紙サイズ以外の他の記録紙に印字出力することとし、使用する記録紙のサイズを設定する（Ｓ１８）。
【００６６】
次に、Ｓ１８で設定したサイズに印字出力するために、オリジナル画データのサイズ変更が必要か否かを判断する（Ｓ１９）。これは例えば、Ｓ１８で設定したサイズがオリジナル画データの記録紙サイズより小さく、オリジナル画データを縮小する必要がある場合等である。
【００６７】
次に、Ｓ１９においてサイズ変更が必要と判断した場合は、オリジナル画データを縮小するなど画データにサイズ変更を行ってから（Ｓ２０）、必要ない場合はオリジナル画データそのままの記録紙サイズで画データを印字出力する（Ｓ２１）。
【００６８】
一方、Ｓ１６でオリジナル画データをそのままのフォーマットで印字出力できないと判断した場合は、自装置の印字出力可能な範囲内にオリジナル画データを変換して印字出力することとし、変換後の画データのフォーマットを設定する（Ｓ２２）。
【００６９】
次に、Ｓ２２で設定された画データのフォーマットに基づき、オリジナル画データのサイズの変更が必要か否かを判断し（Ｓ２３）、変更が必要な場合はオリジナル画データのサイズをＳ２２で設定したフォーマットのサイズに変更する（Ｓ２４）。
【００７０】
次に、オリジナル画データの解像度の変更が必要か否かを判断し（Ｓ２４）、変更が必要な場合はオリジナル画データの解像度をＳ２２で設定したフォーマットの解像度に変更する（Ｓ２５）。
【００７１】
Ｓ２２からＳ２５の処理により、オリジナル画データはインターネットファクシミリ装置１Ｂで印字可能な画データに変換されているため、該画データを印字出力する（Ｓ２１）。
【産業上の利用可能性】
【００７２】
本発明は、電子メールにより画データの送受信を行うインターネットファクシミリ装置に適用可能である。
【図面の簡単な説明】
【００７３】
【図１】本発明の実施の形態にかかる（送信側及び受信側）インターネットファクシミリ装置の具体的な構成を示したブロック図。
【図２】本発明の実施の形態にかかる（送信側及び受信側）インターネットファクシミリ装置が設置されたネットワーク環境の例を示したブロック図。
【図３】送信側インターネットファクシミリ装置と受信側インターネットファクシミリ装置との電子メールの通信手順を示したシーケンス図。
【図４】単純モード時に使用される電子メールの記述例を示した図。
【図５】送達確認モード時に使用される電子メールの記述例を示した図。
【図６】受信能力交換モード時に使用される、所定の要求がある場合にオリジナル画データを送信することを示すメッセージを含んだ電子メールの記述例を示した図。
【図７】受信能力交換モード時に使用される、オリジナル画データを要求するメッセージと自装置の受信能力情報を含んだ電子メールの記述例を示した図。
【図８】受信能力交換モード時に使用される、オリジナル画データを含む電子メールの記述例を示した図。
【図９】受信能力交換モード時に使用される、送達確認メールの記述例を示した図。
【図１０】(受信側)インターネットファクシミリ装置の受信能力交換モードにおける電子メール受信時の動作を示したフローチャート。
【図１１】（受信側）インターネットファクシミリ装置の受信能力交換モードにおける、電子メール受信時の動作を示したフローチャート。
【図１２】（受信側）インターネットファクシミリ装置の受信能力交換モードにおける、電子メール受信時の動作を示したフローチャート。
【図１３】処理の判断基準を設定しておくためのテーブルの記述例を示した図。
【図１４】各処理動作を電子メールの種別によって設定しておくためのテーブルの記述例を示した図。
【図１５】各処理動作を電子メールの種別によって設定しておくためのテーブルの記述例を示した図。
【図１６】従来の（送信側と受信側）受信能力交換型インターネットファクシミリ装置の、画データ送受信時における動作を示したシーケンス図。
【符号の説明】
【００７４】
１Ａ      （送信側）インターネットファクシミリ装置
１Ｂ      （受信側）インターネットファクシミリ装置
２        ＣＰＵ
３        ＲＡＭ（記憶装置）
３ａ      メモリ残量検出部
４        ＲＯＭ
９        記録部
９ａ      記録紙収納部
２２      標準フォーマット画データ
２２Ａ    オリジナル画データ
２６      オリジナル画データのフォーマット情報
２８      受信能力情報
ＴＡ      判断基準テーブル
【図１】
2008289204.tif 000003
【図２】
2008289204.tif 000004
【図３】
2008289204.tif 000005
【図４】
2008289204.tif 000006
【図５】
2008289204.tif 000007
【図６】
2008289204.tif 000008
【図７】
2008289204.tif 000009
【図８】
2008289204.tif 000010
【図９】
2008289204.tif 000011
【図１０】
2008289204.tif 000012
【図１１】
2008289204.tif 000013
【図１２】
2008289204.tif 000014
【図１３】
2008289204.tif 000015
【図１４】
2008289204.tif 000016
【図１５】
2008289204.tif 000017
【図１６】
2008289204.tif 000018